(57)【特許請求の範囲】
【請求項１】
灸頭鍼用もぐさ又は燃えかすを受けとめるもぐさ受部と鍼の竜頭に被せる刺管とからなり、鍼を挿入して竜頭を係止する刺管を、人の手でも容易に成形できる成形容易性を備えた金属メッシュで形成したもぐさ受部に挿通した状態で両者を一体化したことを特徴とする灸頭鍼用キャップ。
【発明の詳細な説明】
【０００１】
【発明の属する技術分野】
本発明は、灸頭鍼用もぐさ又は燃えかすが皮膚上に落ちることを防止する灸頭鍼用キャップに関する。
【０００２】
【従来の技術】
灸頭鍼用キャップ(以下、キャップと略する)は、灸頭鍼用もぐさ(よもぎのほか、よもぎや木炭のような草根木皮等の炭化物を含む)又は燃えかすが皮膚上に落ちることを防止する用具であり、もぐさ又は燃えかすを受けとめるもぐさ受部と鍼の竜頭に被せる刺管とから構成され、鍼で刺管を下方から支持する。もぐさ受部は、もぐさを包み込むような容体状のものと、もぐさの落下方向に広い面を有する略円盤状のものとがあるが、いずれにしても、プレス抜きした金属板から製造されていた。
【０００３】
【発明が解決しようとする課題】
もぐさ又は燃えかすの落下防止の観点からは、もぐさ受部は大きいほど好ましいが、大きさに比例した重量増加を抑制するためにもぐさ受部の大きさには限界があり、従来のキャップでは十分な落下防止の機能は期待しえなかった。また、燃焼するもぐさからの伝熱を鑑みたとき、もぐさと皮膚との間に介在するキャップは薄いほど好ましいことになるが、薄いキャップの成形は、プレス工程を増やし、キャップのコスト高を招く。
【０００４】
そこで、もぐさ又は燃えかすの落下防止が十分図れるほどに大きなもぐさ受部を有しながら軽く、燃焼するもぐさからの伝熱を妨げないような灸頭鍼用キャップを開発するべく、検討を重ねることとした。
【０００５】
【課題を解決するための手段】
検討の結果、開発したものが、灸頭鍼用もぐさ又は燃えかすを受けとめるもぐさ受部と鍼の竜頭に被せる刺管とからなり、鍼を挿入して竜頭を係止する刺管を、人の手でも容易に成形できる成形容易性を備えた金属メッシュで形成したもぐさ受部に挿通した状態で両者を一体化した灸頭鍼用キャップである。刺管は、上端を閉蓋、下端を開放した円筒形状を基本とし、もぐさ受部は刺管の挿通部位と前記開放した下端縁部とを揃えて固着、一体化するが、鍼を挿入して竜頭を係止できればよいので、上端を開放しながら側面を傾斜させた錐台形状の刺管や、下端をもぐさ受部から更に下方に延設した長尺の刺管であってもよい。金属メッシュは、例えば、0.16mmφの鋼線を編み込んだ40メッシュのもの（茶こしに用いられるもの）がひとつの目安になる。
【０００６】
金属メッシュは、隙間が存在するがメッシュの目が細かければもぐさ又は燃えかすを十分受け止めることができる。むしろ、隙間が存在することから金属板に比べて軽く、人の手によって容易に変形しうる成形容易性を有する。このため、金属メッシュで形成したもぐさ受部は軽量で、大きなものを形成でき、しかも固化したもぐさに合わせて自由に外形を整えることができる利点を有する。また、伝熱性は金属板に劣らず、隙間から直接熱放射が見込めるので、もぐさの熱を無駄にしなくて済む。
【０００７】
金属メッシュからなるもぐさ受部は、上面開放の容体状、例えば逆錐体状又は逆錐台状であると、もぐさ又は燃えかすを包み込み、ほぼ完全に落下を防止できる。この金属メッシュは人の手でも容易に成形できるから、成形、固化したもぐさの形状に合わせて改めて外形を整えてもよい。
【０００８】
【発明の実施の形態】
以下、本発明の実施形態について、図を参照しながら説明する。図１は金属メッシュ１をラッパ形状に形成して得られたもぐさ受部２と刺管３とからなる灸頭鍼用キャップの斜視図、図２は同キャップの使用状態を表した断面図、図３はもぐさ受部２の周縁を低くしたキャップの使用状態を表した図２相当断面図で、図４は刺管３の頂頭部を低くして、鍼４に対するもぐさ受部２の高さを相対的に高くしたキャップの使用状態を表した図２相当断面図である。
【０００９】
本例のキャップは、図１に見られるように、金属メッシュの成形容易性を利用して、上面を開放したラッパ形状に形成した金属メッシュ１をもぐさ受部２としている。もぐさ５は、図２に見られるように、予め所定形状に固めたものを刺管３に刺し込むようにしてもよいし、もぐさ受部２に詰め込むことで所定形状に形成してもよい。図３に見られるように、もぐさ受部２の周縁を低くしたキャップを用いれば、もぐさ５の頂上平面がもぐさ受部２の周縁から突出して点火が容易となるし、図４に見られるように、刺管３の頂頭部の高さを加減することで、鍼４に対するもぐさ受部２の相対的な高さを調節して、皮膚に対する熱量の加減を図ることができる。
【００１０】
図５はひも出し６と呼ばれる凸条を形成した刺管３を金属メッシュ１に挿通した製作過程１を表した部分拡大断面図で、図６は図５の状態から金属メッシュ１を挟むように更にひも出し７を形成して刺管３と金属メッシュ１とを一体化した製作過程２を表した同部分拡大断面図である。まず、図３に見られるように、ひも出し６を形成した刺管３を金属メッシュ１に挿通し、ひも出し６を金属メッシュ１に宛がう。続いて、図４に見られるように、突出部位８(図４中二点鎖線)を押し拡げながら刺管３に上下方向の圧力を掛けて、ひも出し６を扁平に潰すと同時に、押し拡げた突出部位８から余剰分を切除して支持環７を形成する。こうして、金属メッシュ１は扁平に潰された上方のひも出し６と下方の支持環７とによって挟持される形で刺管３に固着、一体化できる。
【００１１】
このほか、例えば図７(別例の図６相当図)に見られるように、上記支持環に座金９を宛がって、刺管３に加えた上下方向の圧力により扁平に潰れたひも出し６と前記座金９とで金属メッシュ１を挟持してもよいし、図８(別例の図６相当図)に見られるように、金属メッシュ１に予め嵌め込んだ鳩目10に刺管３を挿通し、この鳩目10に上下方向の圧力を加えることにより、鳩目10による金属メッシュの挟持を頑強にすると共に、変形する鳩目10を刺管３にかしめることで、刺管３と金属メッシュ１との一体化を図ってもよい。
【００１２】
本発明の金属メッシュからなるもぐさ受部は、金属メッシュが有する成形容易性から、上述の例以外にも様々な形状のものを例示することができる。例えば、上面開放の面積を増やした逆傘形状のもぐさ受部11を有するキャップ(図９：図１相当斜視図)、逆四角錐台形状のもぐさ受部12を有するキャップ(図10：図１相当斜視図)、側面が半径方向に膨出した三次元曲面である逆三角錐台形状のもぐさ受部13を有するキャップ(図11：図１相当斜視図)や逆六角錐台形状のもぐさ受部14を有するキャップ(図12：図１相当斜視図)等である。これらは、もぐさ受部としての高さを同じにしても容積が異なるため、もぐさの使用量に応じて使い分けるとよい。
【００１３】
【発明の効果】
本発明により、従来よりも軽量又は大型化したもぐさ受部を有する灸頭鍼用キャップを提供できるようになり、大量のもぐさ又は燃えかすの落下がほぼ完全に防止できるようになる。この金属メッシュからなるもぐさ受部は、金属メッシュが持つ成形容易性という性質から、製作しやすく、また固化したもぐさに合わせた整形が容易であるため、実際の使用にあたっての利便性が高い。また、金属メッシュであるために存在する隙間が、これまでと違ってもぐさから直接熱を放射することを許し、鍼を介した伝導熱と放射熱との相乗が、従来よりも高い鍼灸の効果をもたらすことが期待される。このように、本発明のキャップは、安全性と鍼灸の効用を高める効果があるのである。
【図面の簡単な説明】
【図１】ラッパ形状のもぐさ受部と刺管とからなる灸頭鍼用キャップの斜視図である。
【図２】同キャップの使用状態を表した断面図である。
【図３】もぐさ受部の周縁を低くしたキャップの使用状態を表した図２相当断面図である。
【図４】鍼に対するもぐさ受部の高さを相対的に高くしたキャップの使用状態を表した図２相当断面図である。
【図５】キャップの製作過程１を表した部分拡大断面図である。
【図６】キャップの製作過程２を表した同部分拡大断面図である。
【図７】別例のキャップの製作過程２を表した図６相当部分拡大断面図である。
【図８】別例のキャップの製作過程２を表した図６相当部分拡大断面図である。
【図９】上面開放の面積を増やした逆傘形状のもぐさ受部を有するキャップの図１相当斜視図である。
【図１０】逆四角錐台形状のもぐさ受部を有するキャップの図１相当斜視図である。
【図１１】逆三角錐台形状のもぐさ受部を有するキャップの図１相当斜視図である。
【図１２】逆六角錐台形状のもぐさ受部を有するキャップの図１相当斜視図である。
【符号の説明】
１  金属メッシュ
２  もぐさ受部
３  刺管
４  鍼
５  もぐさ
６  ひも出し
７  支持環
８  刺管の突出部位
９  座金
10  鳩目
11  逆傘形状のもぐさ受部
12  逆四角錐台形状のもぐさ受部
13  逆三角錐台形状のもぐさ受部
14  逆六角錐台形状のもぐさ受部
【図１】
0004037497.tif 000002
【図２】
0004037497.tif 000003
【図３】
0004037497.tif 000004
【図４】
0004037497.tif 000005
【図５】
0004037497.tif 000006
【図６】
0004037497.tif 000007
【図７】
0004037497.tif 000008
【図８】
0004037497.tif 000009
【図９】
0004037497.tif 000010
【図１０】
0004037497.tif 000011
【図１１】
0004037497.tif 000012
【図１２】
0004037497.tif 000013